(57)【要約】【課題】  本発明は、ペットボトルのキャップに負荷をかけないペットボトルに取り付けるための容器を提供する。また、自動販売機における販売目的のためのペットボトルに取り付けるための容器を提供する。【解決手段】  本発明の容器１０は、ネック部６を有するキャップ５付き収容体２に取り付けられる容器１０であって、容器１０は、収容物を収容するための収容部１４を有する環状筒状の容器本体１３と、容器本体１３の内周面に形成されている、ネック部６を支持するための支持体２２と、ネック部６の下方に係合するための係合体２３、２７と、を備えている。【選択図】  図４
2005289459.tif 000002
【特許請求の範囲】
【請求項１】
ネック部を有するキャップ付き収容体に取り付けられる容器であって、
前記容器は、
収容物を収容するための収容部を有する環状筒状の容器本体と、
前記容器本体の内周面に形成されている、
前記ネック部を支持するための支持体と、
前記ネック部の下方に係合するための係合体と、
を備えていることを特徴とする容器。
【請求項２】
前記容器本体は、
開口を有する環状筒状の収容部と前記開口の内周に内側に突出して設けられる前記係合体が形成されている下蓋と、
開口を有する環状筒状の収容部と前記開口の外周に設けられる前記下蓋と嵌合するための嵌合部と前記開口の内周に内側に突出し切溝により前記支持体と前記係合体とに区分けされる支持部とが形成されている上蓋とから構成され、
前記容器本体は前記上蓋が下になるように前記収容体のネック部に取り付けられ、
前記容器本体は、前記収容体に取り付けられた状態において、前記上蓋と下蓋の係合体は重なった状態で配置されるとともに、前記支持体が起立して前記上蓋の係合体と前記支持体との間に前記下蓋の係合体が配置されて前記収容体のネック部に取り付けられることを特徴とする請求項１に記載の容器。
【請求項３】
前記上蓋と下蓋の、両方の開口の外周には外側に突出してつば部が形成されるとともに、前記両方のつば部の一部が接続されていることを特徴とする請求項２に記載の容器。
【請求項４】
前記容器本体は、上蓋と下蓋を封止するための封止手段を備えていることを特徴とする請求項２、又は３に記載の容器。
【請求項５】
前記容器本体の直径は、前記収容体の胴体の直径よりも小さく、且つ、前記容器本体を収容体に取り付けた状態において、前記容器本体の一方の端部がキャップの上端部よりも低いことを特徴とする請求項１〜４のいずれかに記載の容器。
【請求項６】
前記支持体及び係合体は、前記容器本体の軸線に対して水平に直交する方向の断面において、前記支持体及び係合体と軸線の中心点とを結ぶ線によって形成される前記軸線回りの角度がすべて同一になるように配置されることを特徴とする請求項１〜５のいずれかに記載の容器。
【発明の詳細な説明】
【技術分野】
【０００１】
本願は、例えば飲料水等の内容物を収容するためのペットボトルに取り付ける容器に関する。
【背景技術】
【０００２】
製品の市場占有率を高めるための１つの手法として、例えば、ペットボトルに景品を付けた状態で顧客に提供（販売）する手法がある。これにより、顧客が製品（ペットボトル等）に対して注目するという効果を奏する。
【０００３】
このような景品等をペットボトルに設ける形態として、例えば、当該景品等を収容するための容器をペットボトルと別体として備え、当該景品等を収容するための容器を当該ペットボトルのキャップに取り付ける形態や、飲料水等の内容物を収容する内容物収容部の上方に景品等を収容するための景品収容部を備え、当該景品等をペットボトルと一体として備える形態がある。
【０００４】
このように、ペットボトルに景品を付けた状態で顧客に提供する手法が、以下の各特許文献に開示されている（特許文献１及び２）。
【０００５】
【特許文献１】特表２００２−５２６３３４号公報
【特許文献２】特開平１０−２９１５３８号公報
【発明の開示】
【発明が解決しようとする課題】
【０００６】
しかしながら、上記に示すようなキャップに収容部を有する容器が取り付けられているペットボトルのように、ペットボトルのキャップに直接負荷をかけるのは適切でない。なぜなら、飲料水等をペットボトルに収容する際には、収容物を高い温度で充填することが多く、内部が減圧状態となっている。そのため、キャップに何らかの負荷がかかることにより、キャップ周辺の外気を吸引する恐れがある。もし吸引した外気の中にカビ等の発生の原因となる菌が含まれていた場合には、飲料水の中で繁殖することになる。そのためキャップに直接負荷をかけるものは好ましくないと考えられている。
【０００７】
また、自動販売機におけるペットボトル等の提供においては、大きさ等が制限される点に注意する必要がある。具体的には、通常のペットボトルの高さより低く、ボトルの胴体の径よりも小さくする必要がある。即ち、景品等の収容部をペットボトルに取り付けた結果、通常のペットボトルの高さより高いものは自動販売機内に収容できず、景品等の収容部がペットボトルの胴体の径よりも大きなものは、隣り合うペットボトルと接触することにより、ペットボトルの排出時につまり等の不具合を生じるからである。
【０００８】
そこで、本願は上記各問題点の解決を課題の一例として為されたもので、ペットボトルのキャップに負荷をかけずにペットボトルに取り付けるための容器を提供することを第１の目的とし、自動販売機における販売目的のためのペットボトルに取り付けるための容器を提供することを第２の目的とする。
【課題を解決するための手段】
【０００９】
上記課題を解決するために、本願の容器（１０）は、ネック部（６）を有するキャップ（５）付き収容体（２）に取り付けられる容器であって、前記容器は、収容物を収容するための収容部（１４）を有する環状筒状の容器本体（１３）と、前記容器本体の内周面に形成されている、前記ネック部を支持するための支持体（２２）と、前記ネック部の下方に係合するための係合体（２３、２７）と、を備えていることを特徴とする。このようにすれば、収容体のキャップに負荷をかけずに容器を収容体に取りつけることができる。
【００１０】
また、前記容器本体は、開口を有する収容部が形成されている下蓋（１２）と、開口を有する収容部と前記下蓋と嵌合するための嵌合部（１５）が形成されている上蓋（１１）とから構成されている。
【００１１】
また、前記容器本体は、開口を有する環状筒状の収容部と前記開口の内周に内側に突出して設けられる前記係合体が形成されている下蓋（１２）と、開口を有する環状筒状の収容部と前記開口の外周に設けられる前記下蓋と嵌合するための嵌合部（１５）と前記開口の内周に内側に突出し切溝（２１）により前記支持体と前記係合体とに区分けされる支持部（２０）とが形成されている上蓋（１１）とから構成され、前記容器本体は前記上蓋が下になるように前記収容体のネック部に取り付けられ、前記容器本体は、前記収容体に取り付けられた状態において、前記上蓋と下蓋の係合体は重なった状態で配置されるとともに、前記支持体が起立して前記上蓋の係合体と前記支持体との間に前記下蓋の係合体が配置されて前記収容体のネック部に取り付けられることを特徴とする。
【００１２】
このようにすれば、容器本体を構成する上蓋と下蓋とを容易に分離できるので、景品等の収容物の出し入れが容易にできる。また、容器１０を収容体２のネック部６に取り付けた状態において、上蓋１１の支持片２２と係合片２３との間に下蓋１２の係合片２７が配置され、下蓋１２の係合片２７が上蓋１１の支持片２２と係合片２３とに挟まれて固定されるとともに嵌合部１５により前記上蓋と下蓋とが嵌合するので、上蓋１１と下蓋１２とがしっかりと固定され、上蓋１１と下蓋１２とが開口して収容部１４に収容された収容物が外部に飛び出すことがない。
【００１３】
また、前記上蓋と下蓋の、両方の開口の外周には外側に突出してつば部（１６、２６）が形成されるとともに、前記両方のつば部の一部が接続されている。このようにすれば、容器を収容体から取り外す際につば部を取っ手として機能させることができるため便利である。
【００１４】
また、前記容器本体は、上蓋と下蓋を封止するための封止手段を備えていてもよい。このようにすれば、収容部に収容されている景品等の収容物が飛び出す心配がなくなる。
【００１５】
また、前記容器本体の直径は、前記収容体の胴体の直径よりも小さく、且つ、前記容器本体を収容体に取り付けた状態において、前記容器本体の一方の端部がキャップの上端部よりも低く形成されている。このようにすれば、自動販売機等による販売が可能となる。
また、前記支持体及び係合体は、前記容器本体の軸線に対して水平に直交する方向の断面において、前記支持体及び係合体と軸線の中心点とを結ぶ線によって形成される前記軸線回りの角度がすべて同一になるように配置されていると良い。このようにすれば、支持片によりネック部を外周から均等の力で押圧できるとともに、ネック部下方に係合片をしっかりと係合できるため、容器を収容体に安定して取り付けることができるとともに、がたつき等も発生しない。
【発明を実施するための最良の形態】
【００１６】
以下、本願の最良の実施形態について、図１〜図５を用いて詳細に説明する。図１は本実施形態に係る容器の外観図、図２は容器の概要構成図、図３は図１のＡ−Ａ断面図、図４はペットボトルに容器を取り付けた際の状態図、図５は図４のＢ拡大図である。なお、以下に説明する実施の形態は、飲料水を収容するプラスチック製の飲料ボトル（以下、「収容体」と称する。）に対して本願を適用した場合の実施形態である。なお、本発明において「プラスチック製の収容体」を一例として説明するが、本発明は後述するネック部に容器を密閉するためのキャップを備えている収容体であればこれに限定されない。すなわち、本発明はプラスチック製の収容体に限られず、例えば、アルミ製の缶収容体等に対しても適用が可能なものである。また、理解し易いように、図中上下左右を容器の上下左右として表現するがこれに限定されるものではない。
【００１７】
〈収容体の構成〉
まず、本願の容器が取り付けられる収容体について説明する。
【００１８】
図４に示すように、収容体２は、円筒形のボトル３と、ボトル３を密閉するためのキャップ５と、を備える。また、ボトル３とキャップ５はプラスチックを適切に成型して形成されている。
【００１９】
ボトル３は、図示しない円形状の底体と当該底体の外周から上方に垂設して形成された側体と、から構成される。側体は、上方において、内側に絞り込まれて形成される。側体の上方端部はボトル３の内部と連通する開口を有する。この開口近傍には、外周にわたってつば部６ａを有するフランジ形状のネック部６を備えている。ネック部６は、環状の基体と、当該基体の一方の端部の外周に形成されるつば部６ａと、を備える。基体の上方外周面にはネジ山がボトルの軸線に沿って形成され、キャップ５と螺合する。
【００２０】
キャップ５は、円形状の基体５ａと、当該基体５ａの外周から下方に垂設して形成された側体５ｂと、から構成される。また、側体５ｂの端部は開口を有する。さらに、当該側体５ｂの下方内側にはボトル３のネック部６に形成されているネジ山と螺合するためのネジ山が形成される。当該ネジ山はボトル３に形成されているネジ山に対応してキャップ５の軸線に沿って形成される。よって、ボトル３に形成されているネジ山は、所定の締め付け方向にキャップ５を回転させる際に、キャップ５のネジ山と係合する。これにより、ボトル３にキャップ５を取り付けることによりボトル３の内部を密閉する。本願の容器１０は、当該ボトル３のネック部６に取り付けられるものである。
【００２１】
〈容器の構成〉
本願の容器１０について説明する。
【００２２】
図１〜図３に示すように、容器１０は、上蓋１１と下蓋１２とから構成され、収容物を収容するための収容部１４を有する容器本体１３を備える。容器本体１３は、環状円筒状に形成されている。また、本実施形態の容器１０の材質は、ＰＥＴ樹脂を使用している。この容器１０の材質は、他にポリプロピレン樹脂、ポリエチレン等のプラスチック材料から形成することができる。また、容器本体１３には景品等の収容物が収容される。収容物は景品等に限られず、健康補助剤、おもちゃ等、任意製品を所定の数だけ収容することができる。
【００２３】
上蓋１１は、環状の底体１１ａの外周及び内周から上方垂直方向に起立して形成される外周壁１１ｂと内周壁１１ｃとから構成され、景品等を収容するための収容部１４が形成されている。また、上蓋１１の上端部は開口している。また、上蓋１１は、外周壁１１ｂの外周に沿って上方に突出し、後述する下蓋１２と嵌合するための突起部１５が形成されている。さらに、突起部１５の外周には、当該外周に沿って外側に突出するようにつば部１６が形成されている。
【００２４】
また、上蓋１１の内周壁１１ｃの開口端部には、収容体２に容器１０を取り付けるための支持部２０を４つ備える。支持部２０は、容器１０の内側に突出して形成されている。この支持部２０は、容器１０の内周において対向する位置に設けられるとともに、当該支持部２０、２０を繋ぐ線と容器１０の軸線ｌを介して直交し容器の内周において対向する位置にそれぞれ形成される。また、この支持部２０は、それぞれ切溝２１を有する。支持部２０は、この切溝２１により、収容体２のネック部６上方を支持する支持片２２とネック部６のつば部６ａ下方と係合するための係合片２３とに区分けされる。なお、この支持片２２は、本発明の支持体として機能し、係合片２３は、本発明の係合体として機能する。また、突起部１５は本発明の嵌合部として機能する。
【００２５】
下蓋１２は、環状の底体１２ａの外周及び内周から上方垂直方向に起立して形成される外周壁１２ｂと内周壁１２ｃとから構成され、景品等を収容するための収容部１４が形成されている。なお、本実施形態において、下蓋１２の収容部１４の深さは上蓋１１の収容部１４の深さより深く形成されている。また、下蓋１２の上端部は開口している。また、下蓋１２の外周壁１２ｂの開口近傍は上蓋１１の突起部１５と嵌合するために外周壁１２ｂの径より少し大きく形成される。また、外周壁１２ｂの開口端部には、当該外周に沿って外側に突出するようにつば部２６が形成されている。
【００２６】
また、下蓋１２の内周壁１２ｃの開口端部には、容器１０の内側に突出するように係合片２７を４つ備える。係合片２７は、容器１０の内周において対向する位置に設けられるとともに、当該係合片２７、２７を繋ぐ線と容器１０の軸線ｌを介して直交し容器の内周において対向する位置にそれぞれ設けられる。この係合片２７は、収容体２のネック部６のつば部６ａ下方と係合する。なお、この係合片２７は、本発明の係合体として機能する。
【００２７】
上蓋１１と下蓋１２に形成されている係合片２３、２７は、同一形状に形成され、上蓋１１と下蓋１２とにより容器１０が形成された状態において、同一位置に重なった状態で配置されるように形成される。また、上蓋１１と下蓋１２のつば部１６、２６の外周の一部は接続しており、上蓋１１は、この接続している部分を基点として回動し、上蓋１１は下蓋１２とが合わさり、景品等を収容する容器１０として機能する。
【００２８】
なお、容器１０の内周の径は、収容体２のキャップ５の外周の径より少し大きく形成される。また、容器１０の外周の直径は、収容体２の胴体の直径よりも小さく形成される。また、容器１０を収容体２に取り付けた状態において、容器本体１３を構成する上蓋１１の上端部がキャップ５の上端部よりも低くなるように形成される。
【００２９】
また、上蓋１１と下蓋１２の接続部分と対向する位置には、外周面が平坦となるように収容部１４をつば部１６、２６のほぼ外周位置まで突出させる。この外周面には、シール等の封止体により封止する。なお、この封止体は本発明の封止手段として機能する。これにより、上蓋１１と下蓋１２とが開口するのを防止し、容器１０の内部に収容されている景品等の収容物が外部に飛び出すことを防止する。
【００３０】
なお、上蓋１１の支持部２０、下蓋１２の係合片２７は、好ましくは、少なくとも２つ有し、容器１０の軸線ｌに対して水平に直交する方向の断面において、それぞれの支持部２０、係合片２７と容器１０の軸線ｌの中心点とを結ぶ線によって形成される前記軸線回りの角度がすべて同一になるように配置されると良い。このようにすれば、ペットボトルに対して均等の押圧力を加えることができる。
【００３１】
〈容器の取付方法〉
次に、容器を収容体に取りつける取り付け方法について図４、図５を用いて説明する。
【００３２】
図４に示すように、まず、容器１０は、上蓋１１を下にして容器１０の内周に収容体２のキャップ５を挿入する。その際、容器１０の支持片２２が収容体２への挿入にともなって上方に起立する。更に容器１０を収容体２の下方に押し下げることにより、図５に示すように、上蓋１１の支持片２２と係合片２３との間に下蓋１２の係合片２７が配置され、下蓋１２の係合片２７が上蓋１１の支持片２２と係合片２３とに挟まれて固定されるとともに突起部１５により上蓋１１と下蓋１２とが嵌合する。更に、係合片２３、２７がネック部６のつば部６ａを乗り越えてつば部６ａの下方に係合する。
【００３３】
これにより支持片２２がネック部６の上方を収容体２の軸線方向に押圧するように配置され、係合片２３、２７がはネック部６のつば部６ａの下方に係合するため、容器１０は収容体２にがたつきを生じることなく装着される。また、上蓋１１の支持片２２と係合片２３との間に下蓋１２の係合片２７が配置され、下蓋１２の係合片２７が上蓋１１の支持片２２と係合片２３とに挟まれて固定されるとともに突起部１５により上蓋１１と下蓋１２とが嵌合するので、上蓋１１と下蓋１２とがしっかりと固定され、上蓋１１と下蓋１２とが開口して収容部１４に収容された収容物が外部に飛び出すことがない。また、係合片２３、２７が上蓋１１と下蓋１２に形成されているため、２枚合わさった状態でネック部６のつば部６ａの下方に係合するため、強度的にも十分に、容器１０が収容体２に装着され、容器１０が収容体２から抜けることを防止できる。
【００３４】
以上に説明したように、本願の容器１０は、ネック部６を有するキャップ５付き収容体２に取り付けられる容器１０であって、前記容器１０は、収容物を収容するための収容部１４を有する環状筒状の容器本体１３と、前記容器本体１３の内周面に形成されている、前記ネック部６を支持するための支持片２２と、前記ネック部６の下方に係合する係合片２３、２７と、を備えている。
【００３５】
また、容器本体１３は、開口を有する環状筒状の収容部１４と開口の内周に内側に突出して設けられる係合体２７が形成されている下蓋１２と、開口を有する環状筒状の収容部１４と開口の外周に設けられる下蓋１２と嵌合するための突起部１５と開口の内周に内側に突出し切溝２１により支持片２２と係合片２３とに区分けされる支持部２０とが形成されている上蓋１１とから構成され、容器本体１３は上蓋１１が下になるように収容体２のネック部６に取り付けられ、容器本体１３は、収容体２に取り付けられた状態において、上蓋１１と下蓋１２の係合体２２、２７は重なった状態で配置されるとともに、支持片２２が起立して上蓋１１の係合片２３と支持片２２体との間に下蓋１２の係合片２７が配置されて収容体２のネック部６に取り付けられる。また、前記上蓋１１と下蓋１２の、両方の開口の外周には外側に突出してつば部１５、２６が形成されるとともに、前記両方のつば部１５、２６の一部が接続されている。また、前記容器本体１３は、上蓋１１と下蓋１２を封止するための封止体を備えていてもよい。また、前記容器本体１３の直径は、前記収容体２の胴体の直径よりも小さくなるように形成されている。また、前記容器本体１３を収容体２に取り付けた状態において、前記容器本体１３の一方の端部がキャップ５の上端部よりも低くなるように形成されている。また、前記支持片２２、及び係合片２３、２７は、前記容器本体１３の軸線に対して水平に直交する方向の断面において、前記支持片２２、及び係合片２３、２７と軸線の中心点とを結ぶ線によって形成される前記軸線回りの角度がすべて同一になるように配置されるように形成されることが望ましい。
【００３６】
このようにすれば、容器１０が収容体２のネック部６に取り付けられるため、キャップ５に負荷をかけずに、収容体２に容器１０を取りつけることができる。また、上蓋１１に下蓋１２と嵌合するための突起部１５を形成することにより、容器本体１３を構成する上蓋１１と下蓋１２とを容易に分離できるので、容器１０の収容部１４から景品等の収容物の出し入れを容易にできる。また、容器１０を収容体２のネック部６に取り付けた状態において、上蓋１１の支持片２２と係合片２３との間に下蓋１２の係合片２７が配置され、下蓋１２の係合片２７が上蓋１１の支持片２２と係合片２３とに挟まれて固定されるとともに突起部１５により上蓋１１と下蓋１２とが嵌合するので、上蓋１１と下蓋１２とがしっかりと固定され、上蓋１１と下蓋１２とが開口して収容部１４に収容された収容物が外部に飛び出すことがない。また、容器本体１３を構成する上蓋１１と下蓋１２につば部１６、２６を形成することにより容器１０を収容体２から取り外す際に取っ手として機能させることができるため便利である。また、突起部１５や封止体により上蓋１１と下蓋１２とを嵌合及び／又は封止することにより容器１０の収容部１４に収容されている景品等の収容物が飛び出す心配がなくなる。また、収容体２のキャップの上端部より低く、収容体の胴体の直径よりも小さく容器を形成することにより、自動販売機等による販売が可能となる。また、支持片２２、係合片２３、２７を容器本体１３の軸線に対して水平に直交する方向の断面において、前記支持片２２、係合片２３、２７と軸線の中心点とを結ぶ線によって形成される前記軸線回りの角度がすべて同一になるように配置することにより、支持片２２によりネック部６を外周から均等の力で押圧できるとともに、ネック部６下方に係合片２３、２７をしっかりと係合できるため、容器１０を収容体２に安定して取り付けることができるとともに、がたつき等も発生しない。
【００３７】
なお、本発明は本実施形態に限定されることなく、種々の形態にて実施してよい。例えば、本実施形態において、下蓋１２の収容部１４の深さは、上蓋１１の収容部１４よりも深く形成されているが、上蓋１１の収容部の深さの方が下蓋１２の収容部１４の深さよりも深く形成されてもよい。その場合には、本実施形態の上蓋１１を下蓋として、本実施形態の下蓋１２を上蓋とする。そのようにすれば、収容体２のネック部６に容器１０を取りつける場合には、本実施形態においては容器１０を逆さにして取りつけているが、容器１０の上下方向を変えずに収容体２のネック部６に取りつけることができる。これにより容器は、本実施形態と同様に機能する。
【図面の簡単な説明】
【００３８】
【図１】本実施形態に係る容器の外観図である。
【図２】容器の概要構成図である。
【図３】図１のＡ−Ａ断面図である。
【図４】ペットボトルに容器を取り付けた際の状態図
【図５】図４のＢ拡大図である。
【符号の説明】
【００３９】
２  収容体
５  キャップ
６  ネック部
１０  容器
１１  上蓋
１２  下蓋
１４  収容部
１５  突起部
１６、２６  つば部
２２  支持片
２３、２７  係合片
【図１】
2005289459.tif 000003
【図２】
2005289459.tif 000004
【図３】
2005289459.tif 000005
【図４】
2005289459.tif 000006
【図５】
2005289459.tif 000007